(57)【要約】【課題】携帯品の把持を容易にすることで使用時の疲労を軽減し、かつ、持ち運びが容易な携帯品カバーを提供する。【解決手段】書物とモバイル端末機器を含む携帯品のカバーにおいて、カバーの表面又は裏面の少なくとも何れかに、携帯品の把持を容易にするための少なくとも１つのグリップ手段が接合される。グリップ手段は、樹脂製のシートに凸状加工を加えたドーム部材が、平坦な樹脂製のシートであるベース部材上に溶着され、ドーム部材とベース部材の間に空隙が設けられたものである。ドーム部材は、透明又は半透明な部材から成り、ベース部材の表面に意匠が施されている。【選択図】図１
0003209644.tif 000002
【実用新案登録請求の範囲】
【請求項１】
書物とモバイル端末機器を含む携帯品のカバーにおいて、
前記カバーの表面又は裏面の少なくとも何れかに、前記携帯品の把持を容易にするための少なくとも１つのグリップ手段が接合され、
前記グリップ手段は、樹脂製のシートに凸状加工を加えたドーム部材が、樹脂フィルムであるベース部材上に溶着され、前記ドーム部材と前記ベース部材の間には、空隙が設けられた又は樹脂製成形品が１層以上積層されたものであることを特徴とする携帯品カバー。
【請求項２】
前記ドーム部材は、透明、半透明または透光性の部材から成り、
前記ベース部材の表面に、意匠が施されていることを特徴とする請求項１に記載の携帯品カバー。
【請求項３】
前記グリップ手段は、携帯品に前記カバーを装着した際に、携帯品の上下左右の何れかの端部に沿って設けられることを特徴とする請求項１又は２に記載の携帯品カバー。
【請求項４】
前記グリップ手段は、携帯品が書物であり前記カバーを装着した際に、書物の背表紙に沿って設けられることを特徴とする請求項１又は２に記載の携帯品カバー。
【請求項５】
前記ドーム部材の形状は、円形状、楕円形状、角丸の矩形状、角丸の多角形状、波形状の何れか又は何れかを組み合わせた形状であることを特徴とする請求項１〜４の何れかに記載の携帯品カバー。
【請求項６】
前記ドーム部材には、微細な孔が設けられ、
前記空隙に、芳香剤成分を担持した部材が設けられたことを特徴とする請求項１〜５の何れかに記載の携帯品カバー。
【考案の詳細な説明】
【技術分野】
【０００１】
本考案は、書物やモバイル端末等の携帯品を、汚れ、水、衝撃等から保護できると共に、ユーザの嗜好に応じた意匠性や、他との差別化を図れるユニーク性に優れたカバーに関する。
【背景技術】
【０００２】
従来から、書物には、ブックカバーが多く用いられている。ブックカバーは、書物を持ち歩く際に、汚れが付着したり破損したりすることを防止するためのものであり、紙製の簡易なものから、皮革製のもの、さらには実用性だけではなくデザイン性に優れたものなど、様々な製品が提供されている。また、近年では、モバイル端末の普及により、スマートフォンやタブレット端末にカバーやケースを取り付けて使用する人も増加している。本明細書においては、上記のような、本や雑誌などの書物や、スマートフォン、タブレット端末又はその他のモバイル端末を「携帯品」として説明する。
【０００３】
上記のような携帯品のカバー等においては、携帯品を把持する手の疲労が問題となっている。例えば、書物については、長時間読書をする人も多いし、また、タブレット端末やスマートフォン等についても、電話、メール等、その用途が多岐に亘るため、結果として長時間使用する人は多い。しかもタブレット端末やスマートフォン等は、一般に硬質な材質で平板状に形成されており、把持しづらく、落としてしまいやすい形状となっているからである。
【０００４】
そこで、タブレット端末の把持を容易にする補助装置が知られている（特許文献１を参照）。これは、タブレット端末等の裏面に、輪状で着脱自在のグリップを設け、ユーザの指を嵌めこむことで把持を容易にしたものである。これによれば、ユーザは、特に力を入れなくてもタブレット端末等を把持できるので、使用による疲れは生じにくくなるといえる。
しかしながら、上記特許文献１に開示された補助装置では、グリップに設けられた輪状の孔は、指をはめ込むための径を有している必要があり、タブレット端末等を鞄等に入れて持ち運ぶ際にグリップが邪魔になるという問題がある。また、グリップ自体は取り外すことが可能であり、タブレット端末等からグリップを取り外せば、タブレット端末等は鞄等に容易に収まるが、その場合は、グリップを別途収納する必要が生じ、利便性に欠けるといえる。
【０００５】
また、書物等を保護するブックカバーに把持部を設けたものとして、把手付きのブックカバーが知られている（特許文献２を参照）。
これは、ブックカバーに把手を設けることで、鞄等に入れなくとも容易に持ち運ぶことを可能としたものである。
しかしながら、上記特許文献２に開示された把手付きのブックカバーは、使用時における疲労を軽減する効果を有するものではない。
【先行技術文献】
【特許文献】
【０００６】
【特許文献１】特表２０１４−５１７９４２号公報
【特許文献２】特開２００３−５４１５８号公報
【考案の概要】
【考案が解決しようとする課題】
【０００７】
上記状況に鑑みて、本考案は、携帯品の把持を容易にすることで使用時の疲労を軽減し、かつ、持ち運びが容易なグリップ性を備え、汚れ、水、衝撃等から保護できると共に、ユーザの嗜好に応じた意匠性や、他との差別化を図れるユニーク性に優れた携帯品カバーを提供することを目的とする。
【課題を解決するための手段】
【０００８】
上記目的を達成すべく、本考案の携帯品カバーは、書物とモバイル端末機器を含む携帯品のカバーにおいて、カバーの表面又は裏面の少なくとも何れかに、携帯品の把持を容易にするための少なくとも１つのグリップ手段が接合され、グリップ手段は、樹脂製のシートに凸状加工を加えたドーム部材が、樹脂フィルムであるベース部材上に溶着され、ドーム部材とベース部材の間には、空隙が設けられた又は樹脂製成形品が１層以上積層されたものであることを特徴とする。
グリップ手段は、基本的には携帯品カバーの表面に設けられるが、例えばタブレット端末やスマートフォンのように、機器を操作する際にカバーを折り返して使用するものの場合には、折り返したカバーの裏面がユーザの手に当接することになるため、裏面にグリップ手段が設けられる。
グリップ手段を構成するドーム部材とベース部材は、軟質の樹脂で形成されることが好ましく、より好ましくは、塩化ビニール製である。ドーム部材が軟質の樹脂製であることにより、ドーム部材に適度なクッション性が得られ、耐衝撃性を高めることができる。なお、ドーム部材は、単一の素材で形成されていてもよいし、複合素材で形成されていてもよい。また、ベース部材は、平坦なシートであることが好ましいが、これに限定されるものではない。
また、樹脂製成形品が１層以上積層されたとは、樹脂製成形品を単独または複数重ねて突起物にしたものである。
【０００９】
グリップ手段をカバーの表面又は裏面に接合させる構成とすることにより、グリップ手段の取り付け位置を変更した携帯品カバーを容易に作製できることになる。ここで、接合とは、接着剤等による接着、熱溶着又は縫合といった取り外しを前提としないものだけではなく、面ファスナ等の着脱自在に取り外し可能な構成も含む。面ファスナを用いる場合は、単に取り外し可能とするだけではなく、例えば、ループ部材を携帯品カバーの表面全体に設け、フック部材をグリップ手段の裏面に設けて、ユーザの好みの位置にグリップ手段を取り付けられるような構成も可能である。
【００１０】
ベース部材をカバーの本体とし、ドーム部材とベース部材に溶着させることにより、カバーとグリップ手段が一体成形可能となり、製造コストを抑えることができる。
【００１１】
ドーム部材は、透明・不透明を問わずに用いることが可能である。特に、透明、半透明または透光性の部材から成り、ベース部材の表面には、意匠が施されていることが好ましい。ドーム部材を透明又は半透明な部材とし、ベース部材の表面に意匠を施すことで、実用性だけではなく、意匠性の観点でも優れた携帯品カバーとすることができるからである。このように意匠性に優れた携帯品カバーとすることで、商品やサービスの宣伝広告に利用して、訴求・喚起能力の高い宣伝活動を行うことができる。
ベース部材の表面に施す意匠には、漫画のキャラクターや風景写真、その他の図柄が含まれ、ユーザの嗜好に応じた意匠を選択できるので、他人のカバーと差別化を図れるといったユニーク性を備えることになる。
【００１２】
グリップ手段は、携帯品にカバーを装着した際に、携帯品の上下左右の何れかの端部に沿って、すなわち、端部に隣接させて設けられるのが好ましい。特に、グリップ手段が細長い形状を呈する場合に適している。一般に、モバイル端末を把持する際には、携帯品の上下左右の何れかの端部に隣接した箇所を把持することが多いため、かかる箇所にグリップ手段を設けたものである。
また、グリップ手段は、携帯品が書物であり前記カバーを装着した際に、書物の背表紙に沿って設けられることが好ましい。
【００１３】
ドーム部材の形状は、円形状、楕円形状、角丸の矩形状、角丸の多角形状、波形状の何れか又は何れかを組み合わせた形状である。例えば、角丸の矩形状を呈する場合には、縦長の角丸の長方形とすることで、把持しやすい形状とすることが可能である。また、円形状のドーム形状のグリップ手段を、２つ以上、縦に並べて設けたり、波形状のグリップ手段とすることで、上下に滑りにくい形状とすることも可能である。さらには、親指と小指が当接する位置にグリップ手段を設ける等、ユーザのニーズに応じた構成が可能である。
【００１４】
また、ドーム部材には、微細な孔が設けられ、空隙には、芳香剤成分を担持した部材が設けられたことでもよい。これにより、ユーザを香りによって楽しませることのできる携帯品カバーを提供できる。
【考案の効果】
【００１５】
本考案によれば、携帯品の把持を容易にすることで使用時の疲労を軽減し、かつ、持ち運びが容易なグリップ性を備え、衝撃等から保護できると共に、意匠性やユニーク性に優れるといった効果を有する。
【図面の簡単な説明】
【００１６】
【図１】実施例１のブックカバーの説明図であり、（１）は正面図、（２）は背面図を示している。
【図２】実施例１のブックカバーのイメージ図であり、（１）は表表紙側、（２）は裏表紙側から見た図を示している。
【図３】実施例１のグリップの正面図
【図４】実施例１のグリップの構成例を示した図であり、（１）は円形状、（２）は円形状と波形状の組み合わせ形状を示している。
【図５】実施例１のグリップの断面図
【図６】実施例１のブックカバーの底面から見た取り付けイメージ図
【図７】実施例１のグリップの取り付け構成例を示した図であり、（１）は背表紙に隣接した位置、（２）は背表紙の位置に取り付けた例を示している。
【図８】実施例２のタブレット端末カバーの説明図であり、（１）は正面図、（２）は背面図を示している。
【図９】実施例２のタブレット端末カバーの底面から見た取り付けイメージ図であり、（１）はカバーを広げた状態、（２）はカバーを裏に折り曲げた状態を示している。
【図１０】その他の実施例のグリップのイメージ図であり、（１）は意匠が施された例、（２）は芳香剤機能を有する例を示している。
【図１１】実施例３のブックカバーの説明図であり、（１）は正面図、（２）は背面図を示している。
【図１２】実施例３のブックカバーのイメージ図
【図１３】実施例３の係合部の一例を示した断面図であり、（１）はフラップ、（２）は表表紙部を示している。
【考案を実施するための最良の形態】
【００１７】
以下、本考案の実施形態について、図面を参照しながら詳細に説明していく。なお、本考案の範囲は、以下の実施例や図示例に限定されるものではなく、幾多の変更及び変形が可能である。
【実施例１】
【００１８】
本実施例では、表紙の左側に背表紙が設けられた書物にブックカバー１を取り付けるものとして説明する。したがって、以下において表表紙、裏表紙又は背表紙等の表現は、かかる書物における表紙等に相当するものを指す。
図１は、実施例１のブックカバーの説明図であり、（１）は正面図、（２）は背面図を示している。
図１（１）及び（２）に示すように、ブックカバー１は、カバー本体２、グリップ（３ａ，３ｂ）及び取付部材（７ａ，７ｂ）から成る。カバー本体２は、表表紙部２１、裏表紙部２２及び背表紙部２３から成り、一体成形されているが、書物への取り付けを容易にするために境界部８をより柔軟な素材としたり、厚みを薄くした構成としてもよい。
図１（１）に示すように、表表紙部２１の右端部付近にはグリップ３ａが設けられ、裏表紙部２２の左端部付近にはグリップ３ｂが設けられている。
また、図１（２）に示すように、表表紙部２１の左端部付近には取付部材７ａが設けられ、裏表紙部２２の右端部付近には取付部材７ｂが設けられている。
【００１９】
図２は、実施例１のブックカバーのイメージ図であり、（１）は表表紙側、（２）は裏表紙側から見た図を示している。
一般的に、読書をする際には、両手で書物の小口側を把持するが、図２（１）及び（２）に示すように、グリップ（３ａ，３ｂ）は、書物を把持する際に、掌が当接しやすい小口側の位置に設けられている。
【００２０】
図５は、実施例１のグリップの断面図を示している。図５に示すように、グリップ３は、ドーム部材４及びベース部材５から成り、接着部材６を介してカバー本体２と接合されている。ドーム部材４はドーム状に加工され、ベース部材５と溶着されている。なお、ドーム部材４及びベース部材５は、塩化ビニールで形成されている。
【００２１】
図３は、実施例１のグリップの正面図を示している。また、図４は、実施例１のグリップの構成例を示した図であり、（１）は円形状、（２）は円形状と波形状の組み合わせ形状を示している。
図３に示すように、グリップ３は、ドーム部材４及びベース部材５から成る。グリップ３は正面視上、角丸の長方形状を呈しているが、これは人差し指、中指、薬指及び小指の４本の指で同時に把持する際に、把持しやすくするためである。したがって、用途に応じて、他の構成を採用してもよい。
【００２２】
例えば、図４（１）に示すように、円形状のグリップを２つ縦に並べて設けることも可能である。グリップ３１は、ドーム部材４ａ及びベース部材５ａから成り、図４（１）に示す例では、円形状のグリップを縦に２つ並べているため、凸状に加工されたドーム部材同士の間に、窪みが生じ、該窪みにユーザの指が嵌ることで、上下に滑りにくくなる構造である。かかる効果は、円形状のグリップが３つ以上設けられた場合は、さらに高まると考えられるため３つ以上設けてもよい。
【００２３】
また、滑り止めの機構を有しつつ、グリップ感を向上させる構成として、図４（２）に示すような構成も可能である。図４（２）に示すように、グリップ３２は、ドーム部材４ｂ及びベース部材５ｂから成り、円形状のドーム部材を３つ縦に繋げ、周囲を波形状に形成した形状となっている。ドーム部材４ｂの周囲が波形状とされることで、上下に滑りにくい形状となっている。また、グリップ３２は、グリップ３１とは異なり、ドーム部材４ｂが一体となっているため、グリップ３１よりも把持しやすいという利点がある。
【００２４】
図６は、実施例１のブックカバーの底面から見た取り付けイメージ図を示している。図６に示すように、書物９には、ここでは図示しない取付部材７を介して、ブックカバー１が取り付けられている。書物９は広げた状態となっている。
グリップ（３ａ，３ｂ）がブックカバー１の両端に設けられていることにより、書物９を容易に把持できる構造となっている。
【００２５】
しかしながら、書物の持ち方は人それぞれであり、必ずしも書物の両端部を把持するとは限らない。ブックカバー１は、ドーム３を、接着部材６を用いてカバー本体２に接着している構造であることから、ユーザのニーズに応じて、ドーム３の位置を変えたブックカバーを容易に作製することができる。
図７は、実施例１のグリップの取り付け構成例を示した図であり、（１）は背表紙に隣接した位置、（２）は背表紙の位置に取り付けた例を示している。
図７（１）に示すように、表表紙部２１の左端部付近にはグリップ３ｃが設けられ、裏表紙部２２の右端部付近にはグリップ３ｄが設けられている。また、図７（２）に示すように、背表紙部２３の位置にはグリップ３ｄが設けられている。例えば、片手で書物の背表紙付近を把持して、読書をするユーザの場合は、背表紙２３の位置や、背表紙２３の位置に近接した位置にグリップを設けたブックカバーとすることで、片手で把持しやすく疲れにくいブックカバーを提供することができる。
【実施例２】
【００２６】
本実施例では、タブレット端末にカバーを取り付けた際に、タブレット端末のディスプレイに当接する面を表表紙、タブレット端末の裏面に当接する面を裏表紙、表表紙と裏表紙を繋ぐ箇所を背表紙として説明する。
図８は、実施例２のタブレット端末カバーの説明図であり、（１）は正面図、（２）は背面図を示している。
図８（１）及び（２）に示すように、タブレット端末カバー１１は、カバー本体２０、グリップ（３ｆ，３ｇ）及び取付部材７１から成る。カバー本体２０は、表表紙部２１、裏表紙部２２及び背表紙部２３から成る。表表紙部２１及び裏表紙部２２は硬質の樹脂で形成され、背表紙部２３は軟性の樹脂で形成されている。表表紙部２１及び裏表紙部２２と背表紙部２３は、それぞれ境界部８において接続されている。
図８（１）に示すように、裏表紙部２２の左端部付近にはグリップ３ｆが設けられている。また、図８（２）に示すように、表表紙部２１の右端部付近にはグリップ３ｇが設けられ、裏表紙部２２の四隅の角部付近には取付部材７１が設けられている。取付部材７１は、タブレット端末を嵌め込んで固定できる構造となっている。
【００２７】
図９は、実施例２のタブレット端末カバーの底面から見た取り付けイメージ図であり、（１）はカバーを広げた状態、（２）はカバーを裏に折り曲げた状態を示している。
図９（１）に示すように、タブレット端末１０には、取付部材７１を介して、タブレット端末カバー１１が取り付けられている。なお、タブレット端末１０は上側がディスプレイとなっている。グリップ３ｆがタブレット端末カバー１１の右端に設けられていることにより、タブレット端末カバー１１を広げた状態で、右手で容易に把持できる構造となっている。
また、図９（２）に示すように、カバーを裏に折り曲げた状態では、グリップ３ｇがタブレット端末カバー１１の左端に設けられた状態となり、左手で容易に把持できる構造となっている。なお、カバーを裏に折り曲げた状態では、グリップ３ｆは、表表紙部２１と当接しているが、グリップ３ｆは内部に空隙を有するドーム構造となっているため、クッション性を有し、押しつぶされても問題はない構造である。
【００２８】
なお、ここでは図示していないが、カバーを表に折り曲げた状態では、タブレット端末１０のディスプレイ上にグリップ３ｇが当接することになるが、グリップ３ｆと同様に、グリップ３ｇもクッション性を有するため、押しつぶされても問題はないばかりか、外部の衝撃からタブレット端末１０を保護する効果も有している。
【実施例３】
【００２９】
本実施例では、表紙の右側に背表紙が設けられた書物にブックカバー１００を取り付けるものとして説明する。
図１１は、実施例３のブックカバーの説明図であり、（１）は正面図、（２）は背面図を示している。
図１１（１）及び（２）に示すように、ブックカバー１００は、カバー本体２００、グリップ（３ｈ，３ｉ）及び取付部材（７ａ，７ｂ）から成る。カバー本体２００は、表表紙部２１、裏表紙部２２、背表紙部２３及びフラップ２４から成り、一体成形されている。
【００３０】
図１１（１）に示すように、裏表紙部２２の右下にはグリップ３ｈが設けられ、表表紙部２１の左端部付近にはグリップ３ｉが設けられている。実施例１とは異なり、ブックカバー１００には、裏表紙部２２に延設される形でフラップ２４が設けられており、フラップ２４には、蓋用孔２４ａが設けられている。これにより、本を読んでいないときは、グリップ３ｉに蓋用孔２４ａを係合させておくことができ、持ち運び時に本の頁が折れたり、破損、汚れの付着又は異物の混入を防止できる。
本実施例では、フラップ２４は、裏表紙部２２側に延設される形で設けられているが、表表紙部２１に延設される形で設けられていてもよい。
実施例１とは異なり、グリップ３ｈは裏表紙部２２の右下に設けられているが、これは、フラップ２４が設けられたブックカバー１００においては、本を両手で開いた際に、左手で表表紙部２１の右下辺りを把持する可能性が高いと考えられるためである。
【００３１】
図１１（２）に示すように、裏表紙部２２の左端部付近には取付部材７ａが設けられ、表表紙部２１の右端部付近には取付部材７ｂが設けられている。
【００３２】
図１２は、実施例３のブックカバーのイメージ図を示している。
図１２に示すように、ブックカバー１００は、グリップ３ｉに蓋用孔２４ａを係合させて保持することができる。グリップ３ｉに蓋用孔２４ａを係合させることで、本の周囲を包み込むようにして保持することができるため、頁の側端部が異物等に接触せず、本の破損や汚れの付着を防止することができる。
本実施例では、グリップ３ｉに蓋用孔２４ａを係合させて固定しているが、表表紙部２１及びフラップ２４に、留め具を設けて固定してもよい。留め具としては、マグネットホックが好適に用いられるが、面ファスナ、ボタン又はホックなどの公知の留め具を用いることも可能である。なお、留め具を設ける場合には、留め具の取り付け箇所に生じる角部を保護するために、該角部上にグリップ３と同様のドーム構造を設けてもよい。
【００３３】
また、公知の留め具以外に、グリップ３ｉに磁石を埋め込む構成も可能である。
図１３は、実施例３の係合部の一例を示した断面図であり、（１）はフラップ、（２）は表表紙部を示している。図１３（１）に示すように、フラップ２４には、蓋用孔２４ａの代わりに凹部２４ｂが設けられ、凹部２４ｂにはスチール版１６が設けられている。
図１３（２）に示すように、グリップ３ｉは、ドーム部材４及びベース部材５から成り、接着部材６を介して表表紙部２１と接合されている。ベース部材５には、磁石１５が埋め込まれている。なお、ドーム部材４がドーム状に加工され、ベース部材５と溶着されている点や、ドーム部材４及びベース部材５が塩化ビニールで形成されている点は実施例１と同様である。
ドーム部材４は弾力性があるため、表表紙部２１に設けられた磁石１５と、フラップ２４に設けられたスチール版１６が、磁力により引き寄せ合うことにより、表表紙部２１とフラップ２４を固定することが可能である。また、凹部２４ｂが設けられており、凹部２４ｂにグリップ３ｉが嵌合される構造となっている。
【００３４】
（その他の実施例）
図１０は、その他の実施例のグリップのイメージ図であり、（１）は意匠が施された例、（２）は芳香剤機能を有する例を示している。
図１０（１）に示すように、グリップ３３は、ドーム部材４ｃ及びベース部材５ｃから成る。ドーム部材４ｃは、実施例１とは異なり、透明な材質であるため、背後のベース部材５ｃ上に設けられた図柄１２が視認できる状態となっている。
また、図１０（２）に示すように、グリップ３４は、ドーム部材４ｄ及びベース部材５ｄから成る。ドーム部材４ｄは、実施例１とは異なり、多数の微細な孔１４が設けられている。ドーム部材４ｄとベース部材５ｄの間に設けられた空隙には、図示しないが、例えば、芳香剤成分を含浸させたコットンや吸収性の素材等が設けられ、若しくは、芳香剤成分を有する素材そのものが設けられ、香りが放たれる構造となっている。このように、機能性だけではなく、視覚的にも嗅覚的にも楽しめる携帯品カバーの提供が可能である。
【産業上の利用可能性】
【００３５】
本考案は、書物、スマートフォン又はタブレット端末等の携帯品のカバーとして有用である。
【符号の説明】
【００３６】
１，１００  ブックカバー
２，２０，２００  カバー本体
３，３ａ〜３ｉ，３１〜３４  グリップ
４，４ａ，４ｂ  ドーム部材
５，５ａ，５ｂ  ベース部材
６  接着部材
７ａ，７ｂ，７１  取付部材
８  境界部
９  書物
１０  タブレット端末
１１  タブレット端末カバー
１２  図柄
１３  空隙
１４  孔
１５  磁石
１６  スチール板
２１  表表紙部
２２  裏表紙部
２３  背表紙部
２４  フラップ
２４ａ  蓋用孔
２４ｂ  凹部
【図１】
0003209644.tif 000003
【図２】
0003209644.tif 000004
【図３】
0003209644.tif 000005
【図４】
0003209644.tif 000006
【図５】
0003209644.tif 000007
【図６】
0003209644.tif 000008
【図７】
0003209644.tif 000009
【図８】
0003209644.tif 000010
【図９】
0003209644.tif 000011
【図１０】
0003209644.tif 000012
【図１１】
0003209644.tif 000013
【図１２】
0003209644.tif 000014
【図１３】
0003209644.tif 000015